(57)【特許請求の範囲】
【請求項１】
測定器本体の側部端面から所定幅にて形成された環状領域とされるプロテクタ取付け部と、
弾性体で作製された所定厚みを有し、前記プロテクタ取付け部に弾発的に適合して装着される所定幅の管状体とされるプロテクタと、
前記プロテクタの前記プロテクタ取付け部とは反対側の外側に取り付けられるサイドパネルと、
を備えた測定器であって、
（ａ）前記プロテクタは、
前記プロテクタ取付け部に装着される際に、前記プロテクタ取付け部の端面に対面する側である内側端縁の内周面に沿って形成された複数の第１の係止部と、
前記内側端縁とは反対側の外側端縁に隣接する内周面の上側内周面と下側内周面に沿って形成されたサイドパネル取付け部と、
前記プロテクタが前記プロテクタ取付け部に装着される際に、前記プロテクタ取付け部の端面に対面する側の前記サイドパネル取付け部の内側の側面に沿って形成された複数の第２の被係止部と、
上側内周面の前記サイドパネル取付け部の外側の側面に形成された第３の係止部、及び、下側内周面の前記サイドパネル取付け部に形成されたリブと、
を備え、
（ｂ）前記プロテクタ取付け部は、
前記プロテクタ取付け部の外側端面の内周面に全周或いは一部に沿って所定幅にて延在して形成されたフランジと、
前記プロテクタが装着されたとき、前記プロテクタの前記第１の係止部が係合する、前記プロテクタ取付け部の外周環状領域に形成された複数の第１の被係止部と、
前記フランジに形成され、前記プロテクタが装着されたとき、前記プロテクタの前記第２の被係止部に係止する第２の係止部と、
を備え、
（ｃ）前記サイドパネルは、
前記プロテクタに装着されたとき、前記プロテクタの前記第３の係止部に係止される第３の被係止部と、
前記プロテクタの下内周面に形成され、前記プロテクタに装着されたとき、前記プロテクタ取付け部の下側内周面に形成した前記フランジと前記プロテクタの前記サイドパネル取付け部の下側内周面に形成した前記リブとを挟持する凹状の第４の係止部と、
を有することを特徴とする測定器。
【請求項２】
前記第１の係止部は、前記第１の被係止部に係合することにより、前記プロテクタが前記プロテクタ取付け部から外側へと外れるのを防止し、且つ、前記プロテクタの前記内側端縁が前記プロテクタ取付け部から離間して浮き上がるのを防止することを特徴とする請求項１に記載の測定器。
【請求項３】
前記第２の係止部は、前記第２の被係止部に係合することにより、前記プロテクタの前記外側端縁が前記プロテクタ取付け部から離間して浮き上がるのを防止することを特徴とする請求項１又は２に記載の測定器。
【請求項４】
前記第３の係止部は、突起と溝状穴にて形成され、前記第３の被係止部は、前記第３の係止部の前記突起と前記溝状穴に、それぞれ、係合する溝状穴と突起にて形成されることを特徴とする請求項１〜３のいずれかの項に記載の測定器。
【請求項５】
前記プロテクタは、前記測定器本体の略矩形状の外周囲に適合される略矩形状管状体とされることを特徴とする請求項１〜４のいずれかの項に記載の測定器。
【発明の詳細な説明】
【技術分野】
【０００１】
本発明は、一般には、例えば、電源ラインの電流値や電圧値などを測定し、その測定値により電源ラインの品質を解析して、その結果を表示部に表示する電気測定器（電源品質アナライザ）などの測定器に関するものである。特に、本発明は、測定器本体を保護するためのプロテクタの取付け構造に特徴を有する測定器に関するものである。
【背景技術】
【０００２】
従来、例えば、電気測定器（電源品質アナライザ）などの測定器は、測定器本体を保護するために測定器本体にプロテクタが取り付けられている。
【０００３】
特許文献１は、装置本体の取付部に取り付けられる硬質材の基部材に、軟質材から成る衝撃吸収部材（プロテクタ部材）を一体化して構成される携帯用電子機器のプロテクタ装置を記載している。
【０００４】
上記特許文献１に記載するように、種々の測定器において、そのプロテクタは、硬質材の基部材と軟質材の衝撃吸収部材とを使用して、２色成形（又は、インサート成形）により分離不可能な一体型のプロテクタ部材を作製し、測定器本体部を組み立て後に、このプロテクタ部材を測定器本体にねじ止めにより取り付ける構造とされている。
【０００５】
斯かる構造のプロテクタは、プロテクタ部材作製時に２種の部品が、成形段階で一部品として一体化されており、２種の部品が剥離する心配がない。また、測定器組み立て時に１部品として取り扱うことができ組立作業性がよい。更には、プロテクタ部材が金型部品とされるために、形状の自由度が高く、意匠的にも優れたものとし易い。
【先行技術文献】
【特許文献】
【０００６】
【特許文献１】特開平１１−２０３３９４号公報
【発明の概要】
【発明が解決しようとする課題】
【０００７】
しかしながら、上記従来のプロテクタの構造は、一体部品のプロテクタ部材を使用することから、金型費用が高く、特に２色成形では、２部品の単独金型費用より割高となり、当然に、２色成形専用の成形機が必要である。
【０００８】
また、２色成形では、２種類の樹脂を一度に成形するために成形条件が難しく、歩留まりが悪くなる。更には、廃棄リサイクルの際、異なる樹脂の分別ができないといった問題も発生する。
【０００９】
そこで、本発明は、上記諸問題を解決するためになされたものである。
【００１０】
本発明の目的は、軟質の耐衝撃性部材とされるプロテクタを、他の別部品とされる硬質の部材にて測定器本体に組み付けることができ、且つ、組立後においてはプロテクタ部材が測定本体から外れ難くしたプロテクタの取付け構造を備えた測定器を提供することである。
【００１１】
本発明の他の目的は、プロテクタ部材は２色成形により成形加工される必要がなく、廃棄リサイクルにも適しており、製造コストを低減したプロテクタの取付け構造を備えた測定器を提供することである。
【課題を解決するための手段】
【００１２】
上記目的は本発明に係る測定器にて達成される。要約すれば、本発明は、測定器本体の側部端面から所定幅にて形成された環状領域とされるプロテクタ取付け部と、
弾性体で作製された所定厚みを有し、前記プロテクタ取付け部に弾発的に適合して装着される所定幅の管状体とされるプロテクタと、
前記プロテクタの前記プロテクタ取付け部とは反対側の外側に取り付けられるサイドパネルと、
を備えた測定器であって、
（ａ）前記プロテクタは、
前記プロテクタ取付け部に装着される際に、前記プロテクタ取付け部の端面に対面する側である内側端縁の内周面に沿って形成された複数の第１の係止部と、
前記内側端縁とは反対側の外側端縁に隣接する内周面の上側内周面と下側内周面に沿って形成されたサイドパネル取付け部と、
前記プロテクタが前記プロテクタ取付け部に装着される際に、前記プロテクタ取付け部の端面に対面する側の前記サイドパネル取付け部の内側の側面に沿って形成された複数の第２の被係止部と、
上側内周面の前記サイドパネル取付け部の外側の側面に形成された第３の係止部、及び、下側内周面の前記サイドパネル取付け部に形成されたリブと、
を備え、
（ｂ）前記プロテクタ取付け部は、
前記プロテクタ取付け部の外側端面の内周面に全周或いは一部に沿って所定幅にて延在して形成されたフランジと、
前記プロテクタが装着されたとき、前記プロテクタの前記第１の係止部が係合する、前記プロテクタ取付け部の外周環状領域に形成された複数の第１の被係止部と、
前記フランジに形成され、前記プロテクタが装着されたとき、前記プロテクタの前記第２の被係止部に係止する第２の係止部と、
を備え、
（ｃ）前記サイドパネルは、
前記プロテクタに装着されたとき、前記プロテクタの前記第３の係止部に係止される第３の被係止部と、
前記プロテクタの下内周面に形成され、前記プロテクタに装着されたとき、前記プロテクタ取付け部の下側内周面に形成した前記フランジと前記プロテクタの前記サイドパネル取付け部の下側内周面に形成した前記リブとを挟持する凹状の第４の係止部と、
を有することを特徴とするプロテクタを備えた測定器である。
【００１３】
本発明の一実施態様によれば、前記第１の係止部は、前記第１の被係止部に係合することにより、前記プロテクタが前記プロテクタ取付け部から外側へと外れるのを防止し、且つ、前記プロテクタの前記内側端縁が前記プロテクタ取付け部から離間して浮き上がるのを防止する。
【００１４】
本発明の他の実施態様によれば、前記第２の係止部は、前記第２の被係止部に係合することにより、前記プロテクタの前記外側端縁が前記プロテクタ取付け部から離間して浮き上がるのを防止する。
【００１５】
本発明の他の実施態様によると、前記第３の係止部は、突起と溝状穴にて形成され、前記第３の被係止部は、前記第３の係止部の前記突起と前記溝状穴に、それぞれ、係合する溝状穴と突起にて形成される。
【００１６】
本発明の他の実施態様によると、前記プロテクタは、前記測定器本体の略矩形状の外周囲に適合される略矩形状管状体とされる。
【発明の効果】
【００１７】
本発明によれば、軟質の耐衝撃性部材とされるプロテクタは、ネジ等を使用することなく、測定器本体に対して単に係止部材を係合させることにより組み立てることができ、組み立てが容易である。また、係止部材の形状及び配置構成により、測定器に対して長手方向横方向、上下方向、及び、前後方向に対してプロテクタが容易に外れたり、浮き上がったりするのを防止し、更には、他の別部品とされる硬質の部材にて測定器本体に組み付けられるので、組立後においてはプロテクタ部材が測定本体から不用意に外れることがない。
【００１８】
また、本発明によれば、プロテクタ部材は２色成形により成形加工される必要がなく、廃棄リサイクルにも適しており、製造コストを低減することができる。
【図面の簡単な説明】
【００１９】
【図１】本発明に係る測定器の一実施例の全体構成を示す図であり、図１（ａ）は測定器の斜視図であり、図１（ｂ）は右側面図であり、図１（ｃ）は左側面図である。
【図２】本発明に係る測定器の一実施例の全体構成を示す図であり、図２（ａ）は測定器を奥側から見た斜視図であり、図２（ｂ）は背面図である。
【図３】測定器の図１の線III―IIIに取った断面図である。
【図４】測定器の図１の線IV―IVに取った断面図である。
【図５】測定器の一実施例のプロテクタ取付け部の構造を示す断面図である。
【図６】測定器本体の側部に形成したプロテクタ取付け部の一実施例を説明する斜視図である。
【図７】図７（ａ）は、測定器のプロテクタの一実施例を示す内側方向より見た斜視図であり、図７（ｂ）は、測定器のプロテクタの一実施例を示す外側方向より見た斜視図である。
【図８】測定器本体の側部に形成したプロテクタ取付け部の一実施例を説明する断面図であり、プロテクタ取付け部にプロテクタを取り付けた状態を説明する。
【図９】サイドパネルの一実施例を示す内側方向より見た斜視図である。
【図１０】図９の線Ｘ−Ｘに取ったサイドパネルの断面図である。
【図１１】サイドパネルの取り付け方法を説明する図である。
【発明を実施するための形態】
【００２０】
以下、本発明に係る測定器を図面に則して更に詳しく説明する。
【００２１】
実施例１
（測定器の全体構成）
図１〜図６を参照して、本発明に係る測定器の一実施例について説明する。
【００２２】
図１（ａ）に、本発明に係る測定器の一実施例である電気測定器（電源品質アナライザ）の全体構成を示す。図１（ａ）を参照すると、本実施例にて、測定器１は、全体形状が横方向寸法（Ｌ）が幅方向寸法（Ｗ）より長くされた横長の、且つ、高さ（厚み）（Ｈ）が低く（薄く）された矩形状箱体とされる測定器本体２と、測定器本体２の横方向両側部に着脱可能に装着されたプロテクタ３（３Ａ、３Ｂ）とを備えている。
【００２３】
プロテクタ３は、弾性体とされ、厚さ（ｔ３）（図４参照）とされる弾性材料にて作製される。また、プロテクタ３の下面には、手前側及び奥側に位置してゴム足７が、プロテクタ３と同じ材料にて一体に形成されている。
【００２４】
以下の説明では、図１（ａ）に示すように、測定器１を水平状態に置いた状態にて、上方より見た面を正面（又は上面）、図１（ａ）にて、正面の右側を右側面、左側を左側面、正面の上方側の側面を奥側面、正面の下方側の側面を手前側面、そして、正面の裏側の面を背面（又は下面）というものとする。また、上述のように、測定器１の左右方向を横方向（又は長手方向）、横方向に直交する方向を幅方向（又は短手方向）といい、また、水平方向に直交する方向を上下方向というものとする。
【００２５】
更に説明すれば、測定器本体２は、図３、図４、図６に示すように、樹脂（例えば、ＡＢＳ、ＰＰＥなど）を成形加工して形成された、短手方向に取った断面で、下方が開口した概略逆Ｕ字形状とされる上ケース２Ａと、上方が開口した概略Ｕ字形状とされる下ケース２Ｂとを、開口部が対向するように上下方向に配置して、上ケース２Ａと下ケース２Ｂとを上下に組み合わせ、適当なネジ等の締結手段（図示せず）にて一体的に接続することによって構成されている。
【００２６】
測定器本体２の手前側の側面（図３にて左側の側面）は、上ケース２Ａと下ケース２Ｂとを上下に組み合わせることによって形成されている。また、測定器本体２の奥側の側面（図３にて右側の側面）は、図２（ａ）、図３に示すように、組み合わせられた上ケース２Ａと下ケース２Ｂに一体に接続された奥側連結部材５により形成される。一方、測定器本体２の両側の面（図４にて左右の側面）は、組み合わせられた上ケース２Ａと下ケース２Ｂの横方向両端部に側板４（４Ａ、４Ｂ）を一体に組み立てることにより形成される。側板４（４Ａ、４Ｂ）は、アルミニウム、鋼板などの金属板部材を成形加工して形成される。
【００２７】
測定器本体２の内部には、図３、図４に示すように、電気機器要素１００が内蔵されている。測定器本体２の手前下方部には、図２（ｂ）、図３に示すように、電池を収納するための電池収納部１０１が形成され、下ケース２Ｂに形成された電池収納部１０１の外側開口部は、この開口部を覆って電池収納カバー６が配置されている。電池収納カバー６は、下ケース２Ｂにねじ６ａにて取り外し自在に取り付けられている。
【００２８】
測定器本体２は、本体正面には、図１に示すように、成形加工された上ケース２Ａの凹所２Ａ１に、液晶パネルとされる表示部１０と、表示部１０の右側に各種ボタン群１１及びＬＥＤ表示部１２が設けられている。本体奥側の側面を形成する連結部材５には、図２（ａ）に示すように、電圧測定用プローブを接続するための電圧入力端子１３（１３ａ〜１３ｄ）が４系統設けられており、電流測定用クランプセンサを接続するための電流入力端子１４（１４ａ〜１４ｄ）が４系統設けられている。本体左側面には、図１（ｃ）に示すように、電源のＯＮ／ＯＦＦスイッチ１５、外部電源アダプタの入力端子１６、外部電源アダプタのコードを止めるフック（２箇所）１７（１７ａ、１７ｂ）、肩掛けストラップを固定するシャフト１８が設けられている。
【００２９】
測定器本体２の右側面には、図１（ｂ）に示すように、ＳＤカードスロット２０（及びカードカバー９０）、測定器本体２とコンピュータを接続するためのＵＳＢ端子２１、ＬＡＮケーブル用端子２２、ＲＳ２３２端子２３及び外部機器との信号入出力端子２４、肩掛けストラップを固定するシャフト２５が設けられている。
【００３０】
測定器本体２の横方向の左右両側面部には、図１（ａ）、（ｂ）、（ｃ）、図４を参照すると理解されるように、プロテクタ３（３Ａ、３Ｂ）が装着されると共に、測定器本体２の左右両側面部に露出した端子類を保護するためと、また、美観上の観点から、サイドパネル３０（３０Ａ、３０Ｂ）が取り付けられる。サイドパネル３０（３０Ａ、３０Ｂ）は、測定器本体２の両側部に取り付けられたプロテクタ３（３Ａ、３Ｂ）に取り付けられると共に、また、測定器本体２のプロテクタ取付け部５０（図６参照）を構成する下ケース２Ｂの横方向先端部５４にも係合して、プロテクタ３を測定器本体２にしっかりと固定する機能をも有している。この点については、後で詳述する。
【００３１】
（測定器本体側面構造）
図６を参照して、本発明に従って構成される測定器本体２の側面構造について説明する。
【００３２】
図１（ａ）、（ｂ）、（ｃ）などに示すように、本実施例にて、測定器本体２の左右の両側部に取り付けられるプロテクタ３Ａ、３Ｂは同じ構造とされるが、サイドパネル３０Ａ、３０Ｂはそれぞれ異なる構成とされる。しかし、測定器本体２の側部に、プロテクタ３Ａ、３Ｂ及びサイドパネル３０Ａ、３０Ｂを取り付けるためのプロテクタ取付け構造は、実質的に同じ構造とされるために、以下の説明では、右側のプロテクタ３Ａ及びサイドパネル３０Ａの取付け構造について説明する。
【００３３】
図６は、プロテクタ３Ａ及びサイドパネル３０Ａを測定器本体２より取り外した時の状態を示す。
【００３４】
測定器本体２の側部端面から所定幅（Ｌ５０）にて形成された環状領域がプロテクタ取付け部５０とされる。即ち、本実施例にて、測定器本体２の横方向の側部は、その端部より横方向内方へと距離（Ｌ５０）の部分がプロテクタ取付け部５０を構成する。図６に示すように、本実施例にて、このプロテクタ取付け部５０は、上ケース２Ａ及び下ケース２Ｂにて形成され、幅方向の断面形状は、上ケース２Ａが下方が開口した逆Ｕ字形状とされ、下ケース２Ｂは、上方が開口したＵ字形状とされ、開口部が対向するように配置して、一体的に接続される。なお、本実施例では、プロテクタ取付け部５０は、測定器本体２のボタン群１１（表示部１０）等との間に段差部Ｅが形成されている。この段差部Ｅは、図４、図５に示すように、上ケース２Ａ、下ケース２Ｂのプロテクタ取付け部５０と、ボタン群１１（表示部１０）等との境界領域に位置して、測定器本体２の外周囲にわたって環状に凸状リブ２１を成形することにより形成されている。
【００３５】
プロテクタ取付け部５０には、本実施例では、凸状リブ２１に隣接して且つ凸状リブ２１に沿って矩形状の溝状穴（穴溝）（第１の被係止部）５１（５１ａ、５１ｂ、５１ｃ）が形成されている。図６は、上ケース２Ａの上面に穴溝５１ａが形成されている態様を示しているが、下ケース２Ｂにも同様に穴溝５１ｂ（図５参照）が形成されている。穴溝５１は、プロテクタ取付け部５０の上面側（上ケース２Ａ）及び下面側（下ケース２Ｂ）に、それぞれ、５個づつ互いに離間して形成されている。更に、穴溝５１ｃが、プロテクタ取付け部５０の、測定器本体短手方向の両側面側に１個づつ形成される。図６には、手前側の側面部の穴溝５１ｃが図示されているが、図示されていない奥側の側面にも対称配置にて穴溝５１ｃ（図５参照）が形成されている。
【００３６】
又、図６を参照すると、プロテクタ取付け部５０には、概略矩形状とされる横方向外側端縁部に、外側へと突出して突片５３、５５が形成されている。本実施例では、突片５３は、プロテクタ取付け部５０の上面側（上ケース２Ａ）に３個形成され、プロテクタ取付け部５０の下面側（下ケース２Ｂ）に４個、互いに離間して形成されている。
【００３７】
更に説明すると、図５、図６を参照すると、プロテクタ取付け部５０の矩形状外側端縁部において、上ケース２Ａは、その端面上縁部の内周面に沿って下方へと垂直に折り曲げ加工された幅（ｗ５２）のフランジ５２を備えている。またこのフランジ５２には、本実施例ではフランジ５２の外側面に沿って外側へと水平方向に突出した上記突片５３が所定の間隔にて本実施例では３個形成されている。また、下ケース２Ｂは、その端面下縁（及び両側縁部）内周面に沿って上方へと垂直に折り曲げ加工された幅（ｗ５４）のフランジ５４を備えている。またこのフランジ５４には、本実施例ではフランジ５４の外側の面に沿って外側へと水平方向に突出した上記突片５５が所定の間隔にて本実施例では４個形成されている。
【００３８】
（プロテクタ）
図７、図８を参照してプロテクタ３について説明する。本発明によれば、プロテクタ３（３Ａ、３Ｂ）は、耐衝撃性を持たせるために弾性材料、例えば、エラストマー（ＴＰＥ：熱可塑性エラストマー）を使用して作製される。また、意匠性を向上させるために、例えば青色などの適当な色つきの材料が好適に使用される。
【００３９】
プロテクタ３は、測定器本体２の上記プロテクタ取付け部５０に弾発的に適合装着され、測定器本体２の横方向側面部を覆う形状とされる。即ち、プロテクタ３は、その外周形状は、測定器本体２の側面外周形状より幾分（プロテクタ３の厚さｔ３程度（図４参照））大きな形状とされる略矩形状断面を有した所定幅（Ｌ３）の筒状体（管状体）とされる。プロテクタ３の内周形状は、プロテクタ取付け部５０の外周形状と同じか、幾分小さな、略相似形状とされ、プロテクタ取付け部５０の外周部に弾発的に嵌合される形状とされる。本実施例にてプロテクタ３Ａ、３Ｂは同じ形状とされ、左右共通部品とされる。勿論、これに限定されるものではなく、プロテクタ３Ａ、３Ｂは、本発明に従った原理を採用して、測定器本体２に対する取付け構造及びサイドパネルに対する取付け構造を同じとし、外形状などは異なるものとすることもできる。
【００４０】
上述したように、本実施例では、プロテクタ３Ａ、３Ｂは同じ形状とされるので、測定器本体２の横方向右側の側部に装着される右側のプロテクタ３Ａについて説明する。
【００４１】
本実施例では、図７、図８に示すプロテクタ３Ａにて、上記プロテクタ取付け部５０に装着される際に、プロテクタ取付け部５０の端面に対面する端縁側である挿入側、即ち、図８にて左側を内側と言い、図８にて挿入側と反対側の右側を外側と呼ぶこととする。また、筒状体とされるプロテクタ３Ａの中心軸線Ｏｘ−Ｏｘ側をプロテクタ３Ａの内部と呼ぶこととする。
【００４２】
図７、図８を参照すると、断面略矩形状の筒状体とされるプロテクタ３Ａは、上記プロテクタ取付け部５０に挿入される挿入側、即ち、内側端縁３Ａ１の上側内周部３Ａ１ａ及び下側内周部３Ａ１ｂに、それぞれ、内周面に対して垂直方向に突出して突片３１、３２が５個づつ形成されており、また、両側の内周部３Ａ１ｃ、３Ａ１ｄには、それぞれ、突片３３が１個づつ形成されている。突片３１、３２、３３は、上記プロテクタ取付け部５０の穴溝５１（５１ａ、５１ｂ、５１ｃ）（図６参照）に係合する寸法形状とされる。つまり、突片３１、３２、３３は、第１の被係止部であるプロテクタ取付け部５０の穴溝５１（５１ａ、５１ｂ、５１ｃ）に係合される第１の係止部を構成する。なお、突片３１、３２、３３は、図８に示すように、先端部３１ａ、３２ａ、３３ａがプロテクタ３Ａの内側端縁３１Ａ１に対して内側方向へと僅かにｔａだけ突出した突起を有している。
【００４３】
上記プロテクタ内周部の突片（第１の係止部）３１、３２、３３は、プロテクタ３Ａを測定器本体２に取り付けたとき、プロテクタ取付け部５０の外周に設けた穴溝（第１の被係止部）５１（５１ａ、５１ｂ、５１ｃ）にそれぞれ係合し、プロテクタ３Ａが、図５、図８にて右側方向へと外方に外れるのを防止する。と同時に、突片３１、３２、３３の先端突起部３１ａ、３２ａ、３３ａが穴溝５１（５１ａ、５１ｂ、５１ｃ）を形成した上、下ケース２Ａ、２Ｂの内周面（即ち、穴溝５１の内面）に係合し、プロテクタ端面３Ａ１が測定器本体２から離間して上下方向及び幅（前後）方向へと浮き上がるのを防止する。
【００４４】
更に、プロテクタ３Ａには、サイドパネル取付け部６０、７０が設けられている。即ち、図７（ａ）、（ｂ）、図８を参照すると理解されるように、プロテクタ取付け部５０に挿入される挿入側（内側）端縁３Ａ１とは反対側の外側端縁３Ａ２に隣接する内周面には、プロテクタ３Ａの内周領域の略上半周部分（即ち、上側内周部３Ａ２ａの全周及び両側の内周部３Ａ２ｃ、３Ａ２ｄの上半周）にサイドパネル取付け部としての溝形成部６０が成形され、残りの略下半周部分（即ち、下側内周部３Ａ２ｂの全周及び両側の内周部３Ａ２ｃ、３Ａ２ｄの下半周）にサイドパネル取付け部としてのリブ形成部７０が成形されている。
【００４５】
更に説明すると、溝形成部６０は、プロテクタ３Ａの外側端縁３Ａ２から内側へと距離（Ｌ６０）の幅で、且つ、プロテクタ３Ａの外周面から厚さ（ｔ６０）にて、プロテクタ３Ａの上半周部分に形成される。溝形成部６０の内側の側面３５は、プロテクタ３Ａをプロテクタ取付け部５０に装着した際に、プロテクタ取付け部５０のフランジ５２の外側端面５２ａに当接するように構成される。また、溝形成部６０の内周面６１の位置（即ち、プロテクタ３Ａの外周面から厚さ（ｔ６０）とされる位置）は、プロテクタ取付け部５０のフランジ５２の内周端面位置５２ｂと同じとされる。溝形成部６０には、プロテクタ３Ａの外周面から距離ｔ６２の位置と内周面６１との間に所定の形状寸法とされる溝６２と突起６３が形成される。突起６３の外端面６３ａは、プロテクタ外側端面３Ａ２から距離Ｌ６３の位置とされる。溝６２と突起６３とは、後述するサイドパネル３０Ａの第３の被係止部８４、８５（図１０参照）に係合する第３の係止部を構成する。
【００４６】
一方、プロテクタ３Ａの下半周部分のリブ形成部７０は、プロテクタ３Ａの外側端縁３Ａ２から内側へと距離（Ｌ７１）の位置において、プロテクタ３Ａの外周面からの厚さ（ｔ７１）にて内周面７１が形成され、更に、プロテクタ３Ａの外側端縁３Ａ２から内側へと距離（Ｌ７０）の位置から外側へとリブ幅（Ｌ７２）とされるリブ７２が、プロテクタ３Ａの下半周部分に内部へと垂直に突出して形成される。リブ７２の内側面３６は、プロテクタ３Ａをプロテクタ取付け部５０に装着した際に、プロテクタ取付け部５０のフランジ５４の外側端面５４ａに当接するように構成される。また、リブ７２の内周面７３の位置（即ち、プロテクタ３Ａの外周面から厚さ（ｔ７２）とされる位置）は、プロテクタ取付け部５０のフランジ５４の内周端面５４ｂの位置と同じとされる。
【００４７】
上記溝形成部６０の溝６２、突起６３、及び、リブ形成部７０のリブ７２を利用してサイドパネル３０Ａが取り付けられる（図１１（ａ）、（ｂ）、（ｃ）参照）。この構成については、以下に説明するサイドパネル３０に関連して更に説明する。
【００４８】
上記プロテクタ３Ａの構成により、プロテクタ３Ａをプロテクタ取付け部５０に挿入して取り付けたとき、プロテクタ３Ａの、溝形成部６０及びリブ形成部７０の内側面３５、３６がプロテクタ取付け部５０のフランジ５２、５４の外側端面５２ａ、５４ａに突き当たり、プロテクタ３Ａのそれ以上の測定器本体側への挿入を不可とする。
【００４９】
又、溝形成部６０及びリブ形成部７０の内側面３５、３６には、穴溝（第２被係止部）３７、３８が形成されており、プロテクタ３Ａをプロテクタ取付け部５０に挿入して取り付けたとき、プロテクタ取付け部５０の外側端部突起（第２の係止部）５３、５５が係合するようにされる。
【００５０】
これら外側端部突起（第２の係止部）５３、５５は、プロテクタ３Ａを測定器本体２に取り付けたとき、プロテクタ３Ａの穴溝（第２の被係止部）３７、３８にそれぞれ係合し、プロテクタ外側端面３Ａ２が測定器本体２から上下方向及び幅（前後）方向に離間して浮き上がるのを防止する。
【００５１】
上記構成は、上述したように、他方のプロテクタ３Ｂ及びサイドパネル３０Ｂについても同様とされる。
【００５２】
（サイドパネル）
次に、図９〜図１１を参照して、サイドパネル３０（３０Ａ、３０Ｂ）について説明する。上述したように、サイドパネル３０（３０Ａ、３０Ｂ）は、測定器本体２の左右両側面部に露出した側板４（４Ａ、４Ｂ）の端子類を保護するためと、また、美観上の観点から、設けられる。
【００５３】
サイドパネル３０Ａ、３０Ｂは異なる形状とされるが、プロテクタ３への取付け構造は同じ構造とされるので、本実施例では、図９〜図１１を参照して、測定器１の右側のプロテクタ３Ａに取り付けられる右側のサイドパネル３０Ａについて説明する。
【００５４】
図９は、測定器本体２の右側に取り付けられるサイドパネル３０Ａの測定器本体２の側板４Ａに対面した側から見た斜視図であり、図１０は、図９の線Ｘ−Ｘに取った断面図を示す。図１１は、サイドパネル３０Ａのプロテクタ３Ａに対する取付け態様を説明する図である。
【００５５】
本実施例では、図１０に示すサイドパネル３０Ａにて、上記プロテクタ３Ａに装着される場合の挿入側とされる、図１０にて左側を内側と言い、図１０にて挿入側と反対側の右側を外側と呼ぶこととする。
【００５６】
サイドパネル３０Ａは、測定器本体２の側部を覆うために、測定器本体２と概略同じ矩形状とされる側板８１と、この側板８１を測定器本体２（即ち、プロテクタ３Ａ）の側部に取り付けるために、側板８１の周辺に形成されたサイドパネル上取付け部８２及び下取付け部８３と、を有している。サイドパネル側板８１は、測定器本体２の側板４Ａに設けられた接続端子、装置類にアクセスするために種々の形状とされる開口部１０２が形成されている。サイドパネル３０Ａは、硬質の樹脂にて作製され、例えば、ＡＢＳ、ＰＰＥ等を好適に使用し得る。
【００５７】
サイドパネル上取付け部８２は、図９、図１０に示すように、本実施例では、側板８１の上端縁８１ａから両側縁８１ｃ、８１ｄの上部にかけて略上半周部に形成されている。勿論、必要に応じて、サイドパネル上取付け部８２は、上端縁８１ａのみに、或いは、上端縁８１ａと両側縁８１ｃ、８１ｄの全体に設けてもよい。また、サイドパネル上取付け部８２は、図１０に示すように、測定器本体２の横方向に直交する断面が、内側へと開口したコ字状の形状とされ、内側へと突出したリブ状の突起８４と、内側が開口した凹状の溝８５とを有している。リブ状の突起８４と凹状溝８５は、プロテクタ３Ａの第３の係止部６２、６３に係合する第３の被係止部を構成する。
【００５８】
図９に示すリブ状突起８４は、上記プロテクタ３Ａの溝６２に係合するに適した形状寸法とされ、凹状溝８５は、プロテクタ３Ａの突起６３が嵌入するに適した形状寸法とされる。なお、本実施例では、図９に示すように、リブ状突起８４は、不連続であっても良く、また、連続して形成しても良い。必要に応じて適宜設計される。
【００５９】
一方、サイドパネル下取付け部８３は、図９、図１０に示すように、側板８１の下端縁８１ｂに沿って形成された下方に突出する略平行なリブ状突起８６、８７にて開口したＵ字形状とされる凹状溝部（第４の係止部）８８を備えている。
【００６０】
上記構成のサイドパネル３０Ａは、図１１（ａ）に示すように、先ず、サイドパネル３０Ａのサイドパネル下取付け部８３をプロテクタ３Ａ内に位置させ、サイドパネル上取付け部８２がプロテクタ３Ａから離間した傾斜状態に維持する。次いで、矢印Ａで示すようにサイドパネル３０Ａを斜め下方に押下げ、サイドパネル下取付け部８３の凹状溝部８８（即ち、突片８６、８７）が、図１１（ｂ）に示すように、測定器本体２の外側端縁フランジ５４とプロテクタ３Ａのリブ７２とを挟み込むようにして装着される。次いで、矢印Ｂで示すように、サイドパネル３０Ａを、サイドパネル下取付け部８３を支点として、サイドパネル３０Ａの上端をプロテクタ３Ａの方へと押圧する。これにより、図１１（ｃ）に示すように、サイドパネル３０Ａのリブ状突起８４がプロテクタ３Ａの溝６２に係合し、サイドパネル３０Ａの凹状溝８５には、プロテクタ３Ａの突起６３が嵌入する。同時に、サイドパネル３０Ａの凹状溝部８８は、測定器本体２の外側端縁フランジ５４とサイドパネル３０Ａのリブ７２とをしっかりと挟持した状態で保持する。
【００６１】
これによって、サイドパネルはプロテクタ３Ａにしっかりと取り付けられる。
【００６２】
上述のように、サイドパネル３０Ａの下取付け部８３は、プロテクタ３Ａだけでなく、測定器本体２のプロテクタ取付け部５０の下側部に取り付けられることにより、プロテクタ自体を測定器本体２に固定する機能をも有している。
【００６３】
このような構成により、プロテクタ３Ａ、サイドパネル３０Ａが測定器本体２にしっかりと取り付けられる。また、プロテクタ３Ａ、サイドパネル３０Ａは、必要に応じて、取り外すこともできる。
【００６４】
尚、サイドパネル３０Ａは、必要に応じて、図６に示す測定器本体２の側板４Ａに取り付けた状態で示す取付けネジ４０を用いて、サイドパネル３０Ａに穿設した貫通穴４０ａ（図９）を利用して、側板４Ａに固定することもできる。図１（ａ）、（ｂ）は、サイドパネル３０Ａが取付けネジ４０にて測定器本体２の側面部に取付けられた状態を示しており、また、図２（ａ）及び図１（ｃ）は、サイドパネル３０Ｂが取付けネジ４０にて測定器本体２の側面部に取付けられた状態を示している。
【００６５】
（プロテクタの組立）
上記構成のプロテクタ３の測定器本体２への取付け態様については、上記説明にて理解されると考えるが、以下に纏めて説明する。
【００６６】
先ず、図６〜図８に示すように、測定器本体２の横方向側面部外周面を覆うように、プロテクタ３Ａを挿入側端縁３Ａ１からプロテクタ取付け部５０に弾発的に適合して装着する。プロテクタ３Ａは、プロテクタ３Ａの、溝形成部６０及びリブ形成部７０の内側面３５、３６がプロテクタ取付け部５０のフランジ５２、５４の外側端面５２ａ、５４ａに突き当たり、プロテクタ３Ａのそれ以上の測定器本体側への挿入を不可とする。
【００６７】
このとき、溝形成部６０及びリブ形成部７０の内側面３５、３６に形成した穴溝（第２の被係止部）３７、３８に、プロテクタ取付け部５０の外側端部突片（第２の係止部）５３、５５が係合する。即ち、これら外側端部突片（第２の係止部）５３、５５は、プロテクタ３Ａを測定器本体２に取り付けたとき、プロテクタ３Ａの穴溝（第２の被係止部）３７、３８にそれぞれ係合し、プロテクタ外側端面３Ａ２が測定器本体２から上下方向及び幅（前後）方向に離間して浮き上がるのを防止する。
【００６８】
更に、プロテクタ３Ａの挿入側内周部に形成した突片（第１係止部）３１、３２、３３を、プロテクタ取付け部５０の外周に設けた穴溝（第１被係止部）５１（５１ａ、５１ｂ、５１ｃ）にそれぞれ係合させる。これにより、プロテクタ３Ａが、図５、図８にて右側方向へと外方に外れるのを防止する。と同時に、突起３１、３２、３３の先端突出部３１ａ、３２ａ、３３ａが穴溝５１（５１ａ、５１ｂ、５１ｃ）の内側面に係合し、プロテクタ端面３Ａ１が測定器本体２から離間して上下方向及び幅（前後）方向へと浮き上がるのを防止する。
【００６９】
従って、プロテクタ３Ａが容易に測定器本体２から外方へと抜け出たり、或いは、プロテクタ３Ａの端面領域が測定器本体２から浮き上がることはない。
【００７０】
プロテクタ３Ｂも、上記プロテクタ３Ａと同様にして、測定器本体２に弾発的に適合して装着される。
【００７１】
次いで、プロテクタ３Ａ、３Ｂにサイドパネル３０Ａ、３０Ｂが取り付けられる。サイドパネル３０Ａ、３０Ｂの取り付け方法は、上述の図１１を参照して行なったサイドパネルの組み立て方法の説明にて充分に理解されるであろう。
【００７２】
上記構成とされる本発明によれば、軟質の耐衝撃性部材とされるプロテクタは、ネジ等を用いることなく、測定器本体に対して単に係止部材を係合させることにより組み立てることができ、組み立てが容易である。また、係止部材の形状及び配置構成により、測定器に対して長手方向横方向、上下方向、及び、前後方向に対してプロテクタが容易に外れたり、浮き上がったりするのを防止する。更には、他の別部品とされる硬質の部材（サイドパネル）にて測定器本体に組み付けられるので、組立後においてはプロテクタ部材が測定本体から不用意に外れることがない。
【００７３】
また、本発明によれば、プロテクタ部材は２色成形により成形加工される必要がなく、廃棄リサイクルにも適しており、製造コストを低減することができる。
【００７４】
上記実施例では、測定器本体は、全体形状が横方向寸法（Ｌ）が幅方向寸法（Ｗ）より長くされた横長の、且つ、高さ（厚み）（Ｈ）が低くされた矩形状箱体とされ、プロテクタは、測定器本体の横方向両側部に装着されるものとして説明したが、これに限定されるものではなく、必要に応じて、測定器本体の両側部のいずれかの側部に装着してもよい。また、測定器本体は必ずしも横方向に長いものである必要はなく、縦長形状或いは他の形状のものでも良いことは勿論である。
【００７５】
また、上記実施例では、第１、第２の係止部は突片とし、第１、第２の被係止部は溝状穴として説明したが、第１、第２の係止部が溝であり、第１、第２の被係止部が突片であっても良い。
【符号の説明】
【００７６】
１                                  測定器
２                                  測定器本体
２Ａ                                上ケース
２Ｂ                                下ケース
３（３Ａ、３Ｂ）                    プロテクタ
４（４Ａ、４Ｂ）                    側板
３０（３０Ａ、３０Ｂ）              サイドパネル
３１、３２、３３                    突片（第１の係止部）
３７、３８                          溝状穴（穴溝）（第２の被係止部）
５０                                プロテクタ取付け部
５１（５１ａ、５１ｂ、５１ｃ）      溝状穴（穴溝）（第１の被係止部）
５２、５４                          フランジ
５３、５５                          突片（第２の係止部）
６０                                溝形成部（サイドパネル取付け部）
６２、６３                          溝、突起（第３の係止部）
７０                                リブ形成部（サイドパネル取付け部）
７２                                リブ
８１                                サイドパネル側板
８２                                サイドパネル上取付け部
８３                                サイドパネル下取付け部
８４、８５                          突起、溝（第３の被係止部）
８６、８７                          リブ状突起
８８                                凹状溝部（第４の係止部）
【図１】
0005603767.tif 000002
【図２】
0005603767.tif 000003
【図３】
0005603767.tif 000004
【図４】
0005603767.tif 000005
【図５】
0005603767.tif 000006
【図６】
0005603767.tif 000007
【図７】
0005603767.tif 000008
【図８】
0005603767.tif 000009
【図９】
0005603767.tif 000010
【図１０】
0005603767.tif 000011
【図１１】
0005603767.tif 000012